(57)【要約】【課題】  被連結物の挿通孔同士が多少ずれていても、容易に位置合わせができると共に上記被連結物同士を確実に連結結合することができる建築構造物の連結方法及びその連結部材を提供する。【解決手段】  間柱に連結される梁にはテーパボルト６のネジ軸１２が挿嵌可能な挿通孔１０が形成され、且つ上記間柱の継手板５ａにはテーパボルト６のネジ軸１２より大径の挿通孔８が形成され、上記テーパボルト６下面には継手板５ａ，５ｂの大径挿通孔８より更に大径となるフランジ座部１４が形成されると共に、ネジ軸１２にはネジ頭部Ｈ側に大径挿通孔８に挿嵌する大径挿嵌部１６を有し、且つ大径挿嵌部１６にはネジ軸１２側に向けて縮径となすテーパ部１８が形成され、フランジ座部１４から大径挿嵌部１６とテーパ部１８の総軸長さＬ１が、上記継手板５ａ，５ｂの肉厚Ｔ１より短く形成されている。【選択図】  図３
2008127824.tif 000002
【特許請求の範囲】
【請求項１】
被連結物同士を対応する連結孔に連結部材を挿通させて連結する建築構造物の連結部材に於いて、
上記連結部材はテーパボルト６であって、上記被連結物の一方４には上記テーパボルト６のネジ軸１２が挿嵌可能な内径の挿通孔１０が形成されると共に、上記被連結物の他方５ａ，５ｂには上記テーパボルト６のネジ軸１２より大径の挿通孔８が形成されて成り、
上記テーパボルト６は、上記他方の被連結物５ａ，５ｂの大径挿通孔８より更に大径となるフランジ座部１４がネジ頭部Ｈ下面に形成されると共に、上記ネジ軸１２には、その先端に螺子が螺設されて上記ネジ頭部Ｈ側には最大径が上記大径挿通孔８に挿嵌する大径挿嵌部１６を有し、且つ上記大径挿嵌部１６には上記ネジ軸１２側に向けて縮径となすテーパ部１８が形成され、上記フランジ座部１４から大径挿嵌部１６とテーパ部１８の総軸長さＬ１が上記他方の被連結物５ａ，５ｂの肉厚Ｔ１より短く形成されていることを特徴とする建築構造物の連結部材。
【請求項２】
上記テーパボルト６は、上記ネジ軸１２が上記テーパ部１８の縮径側端部から先端までの長さＬ２が、少なくとも上記一方と他方の被連結物の総肉厚Ｔより長く形成され、上記ネジ軸１２の先端が先細となるテーパ状に形成されていることを特徴とする請求項１に記載の建築構造物の連結部材。
【請求項３】
上記連結部材は、ネジ軸１２の頭部Ｈ下面に上記他方の被連結物５ａ，５ｂの大径挿通孔８より大径となるフランジ座部２４が形成されるボルト２２であって、上記ネジ軸２８には、最大径が上記大径挿通孔８に挿嵌する大径挿嵌部２５を有し、且つ上記大径挿嵌部１６の一方側に向けて縮径となすテーパ部１８を形成したテーパスリーブ２５が着脱可能に挿嵌されて成り、
上記テーパスリーブ２５は、上記大径挿嵌部１６とテーパ部１８を含む全長Ｌ１が上記他方の被連結物５ａ，５ｂの肉厚Ｔ１より短く形成されており、上記テーパスリーブ２５の外径Ｄ乃至全長Ｌ１が、上記他方の被連結物５ａ，５ｂの大径挿通孔８の内径、及びその肉厚Ｔ１以内となる長さに対応した各種寸法のテーパスリーブ２５が作成され、上記他方の被連結物５ａ，５ｂの各種寸法に適合するテーパスリーブ２５を選択的に使用されるようにしたことを特徴とする請求項１または２に記載の建築構造物の連結部材。
【請求項４】
被連結物同士を対応する連結孔に連結部材を挿通させて連結する建築構造物の連結方法に於いて、
上記連結部材はテーパボルト６であって、上記被連結物の一方４には上記テーパボルト６のネジ軸１２が挿嵌可能な内径の挿通孔１０が形成されると共に、上記被連結物の他方５ａ，５ｂには上記テーパボルト６のネジ軸１２より大径の挿通孔８が形成され、
上記テーパボルト６は、上記他方の被連結物５ａ，５ｂの大径挿通孔８より更に大径となるフランジ座部１４がネジ頭部Ｈ下面に形成されると共に、上記ネジ軸１２には、その先端に螺子が螺設されて上記ネジ頭部Ｈ側には最大径が上記大径挿通孔８に挿嵌する大径挿嵌部１６を有し、且つ上記大径挿嵌部１６には上記ネジ軸１２側に向けて縮径となすテーパ部１８が形成され、上記フランジ座部１４から大径挿嵌部１６とテーパ部１８の総軸長さＬ１が上記他方の被連結物５ａ，５ｂの肉厚Ｔ１より短く形成されて成り、
上記テーパボルト６により上記被連結物同士を連結するに際し、上記他方の被連結物５ａ，５ｂの大径挿通孔８から一方の被連結物４の挿通孔１０に上記ネジ軸１２を挿通して該ネジ軸１２にナット１５を螺合し、軸方向へ螺進する上記テーパ部１８の作用により上記他方の被連結物５ａ，５ｂの大径挿通孔８、または一方の被連結物４の挿通孔１０を基準として何れかの被連結物を径方向に相対移動させて上記大径挿通孔８と挿通孔１０の位置合わせするようにしたことを特徴とする建築構造物の連結方法。
【発明の詳細な説明】
【技術分野】
【０００１】
本発明は、建築構造物における間柱と梁、または筋交いなどを連結する建築構造物の連結方法及びその連結部材に関する。
【背景技術】
【０００２】
従来より、建築構造物として、特に鉄骨などで構成される建築構造物における間柱と被連結部材となる梁または筋交いなどは、連結部材（ボルトなど）により鋼鈑で構成された継手板などの被連結物を介して連結結合されている。
【０００３】
上記の間柱と梁または筋交を連結結合する際は、工場内で予め間柱や梁または筋交に溶接接合され、複数の連結孔が穿設された被連結物となる継手板同士が、建築現場で互いに位置合わせした上記連結孔にボルトを挿通して連結されるようになっている。
【０００４】
このような連結作業は、重量物となる間柱と梁または筋交などを上記継手板の連結孔同士を高所で位置合わせをして人為的に連結する作業が余儀なくされることから、位置合わせ作業が熟練を要するだけでなく危険を伴うため、連結作業の簡素化が要望されていた。
【０００５】
上記のように、被連結物の連結孔同士が多少ずれていても、上記連結孔間を位置合わせする機能が具備され連結作業を簡素化した連結部材（ボルト）として、後述する図５に示すように螺子部が形成されるネジ軸の頭部側にテーパ部を形成した連結部材が提案されている（特許文献１参照）。
【０００６】
図５は2つの被連結物同士を連結した状態を示す従来の連結部材の断面図を示している。この連結部材はテーパボルト３０１であって、テーパボルト３０１は、一方の被連結物となる４気筒エンジンのシリンダヘッド３０２の結合面３０２ａに他方の被連結物となるインテークマニホールドのフランジ３０５をゴム製の弾性シール部材３１０を介して結合するものである。
【０００７】
上記フランジ３０５には、連結孔となる大径のテーパ孔３０６が形成されており、このテーパ孔３０６は、外側から内側に向けて縮径している。上記テーパボルト３０１は、座付きの頭部３１２と、頭部３１２に連設したテーパ部３１４と、テーパ部３１４に連接した螺子部３０８とから構成されるもので、頭部３１２は、その座部がフランジ３０５の押圧面３０５ａに当接し、テーパ部３１４は上記テーパ孔３０６に嵌合し、螺子部３０８はシリンダヘッド３０２の螺子穴３０４に螺合する。
【０００８】
上記テーパボルト３０１のテーパ部３１４の軸方向寸法Ｌは、上記フランジ３０５の肉厚と上記弾性シール部材３１０の厚さとの和から所定の締め代を減算した値に設定されている。
【０００９】
そして、上記テーパボルト３０１で上記フランジ３０５をシリンダヘッド３０２に結合すると、このシリンダヘッド３０２の結合面３０２ａとフランジ３０５の結合面３０５ｂとに上記弾性シール部材３１０の両面が挟持され、その弾性シール部材３１０を介してシリンダヘッド３０２とインテークマニホールドのフランジ３０５とが結合される。
【００１０】
これにより、上記テーパボルト３０１の挿入時に、テーパ部３１４の小径部をテーパ孔３０６の大径部に嵌合すれば良いため、上記テーパ孔３０６の位置が大きくずれていても上記テーパボルト３０１を容易に挿入することができ、テーパボルト３０１の螺子穴３０４への螺入によって上記フランジ３０５のテーパ孔３０６が上記テーパ部３１４によりガイドされるので、フランジ３０５を取付け位置に正確に位置合わせすることができる。
【００１１】
また、上記テーパボルト３０１の螺子部３０８をシリンダヘッド３０２の螺子穴３０４に螺合したとき、テーパ部３１４の端面３１４ａがシリンダヘッド３０２の結合面３０２ａに当接してテーパボルト３０１の螺入量が規制されるため、上記インテークマニホールドのフランジ３０５及び弾性シール部材３１０はテーパ部３１４の軸方向寸法Ｌにより決定される所定の締結力で締め付けられる。
【００１２】
これによって、上記インテークマニホールドのフランジ３０５を一定の締結力で結合することができ、過剰な締結力で樹脂製のフランジ３０５が損傷するのを防止することができるようになっている。
【００１３】
【特許文献１】特開平１１−２２３１６４号公報
【発明の開示】
【発明が解決しようとする課題】
【００１４】
ところで、上記のようなテーパボルト３０１（連結部材）では、螺子穴３０４とテーパ孔３０６との位置合わせが出来るものの、テーパ部３１４に軸方向寸法Ｌとして設定された端面３１４ａがシリンダヘッド３０２の結合面３０２ａに当接してテーパボルト３０１の螺入量が規制されるため、締結力が制限されるだけでなく上記テーパボルト３０１のテーパ部３１４が確実に嵌合するテーパ孔３０６の加工が困難となる問題を有していた。
【００１５】
本発明は、このような問題点に着目してなされたもので、被連結物の挿通孔同士が多少ずれていても、容易に位置合わせができると共に上記被連結物同士を確実に連結結合することができる建築構造物の連結方法及びその連結部材を提供することを目的とする。
【課題を解決するための手段】
【００１６】
上記目的を解決するために、本発明の請求項１に記載の建築構造物の連結部材は、被連結物同士を対応する連結孔に連結部材を挿通させて連結する建築構造物の連結部材に於いて、上記連結部材はテーパボルト６であって、上記被連結物の一方４には上記テーパボルト６のネジ軸１２が挿嵌可能な内径の挿通孔１０が形成されると共に、上記被連結物の他方５ａ，５ｂには上記テーパボルト６のネジ軸１２より大径の挿通孔８が形成されて成り、上記テーパボルト６は、上記他方の被連結物５ａ，５ｂの大径挿通孔８より更に大径となるフランジ座部１４がネジ頭部Ｈ下面に形成されると共に、上記ネジ軸１２には、その先端に螺子が螺設されて上記ネジ頭部Ｈ側には最大径が上記大径挿通孔８に挿嵌する大径挿嵌部１６を有し、且つ上記大径挿嵌部１６には上記ネジ軸１２側に向けて縮径となすテーパ部１８が形成され、上記フランジ座部１４から大径挿嵌部１６とテーパ部１８の総軸長さＬ１が上記他方の被連結物５ａ，５ｂの肉厚Ｔ１より短く形成されていることを特徴とする建築構造物の連結部材である。
上記の建築構造物の連結部材によれば、上記テーパボルト６により上記被連結物同士を連結する際は、上記他方の被連結物５ａ，５ｂの大径挿通孔８から一方の被連結物４の挿通孔１０に上記ネジ軸１２を挿通して該ネジ軸１２にナット１５を螺合し、軸方向へ螺進する上記テーパ部１８の作用により、上記他方の被連結物５ａ，５ｂの大径挿通孔８、または一方の被連結物４の挿通孔１０を基準として、何れかの被連結物を径方向に相対移動させて上記大径挿通孔８と挿通孔１０の位置合わせが行われる。
【００１７】
本発明の請求項２に記載の建築構造物の連結部材は、上記テーパボルト６は、上記ネジ軸１２が上記テーパ部１８の縮径側端部から先端までの長さＬ２が、少なくとも上記一方と他方の被連結物の総肉厚Ｔより長く形成され、上記ネジ軸１２の先端が先細となるテーパ状に形成されていることを特徴とする建築構造物の連結部材である。
上記の建築構造物の連結部材によれば、テーパ部１８の縮径側端部から先端までのネジ軸１２の長さＬ２が、少なくとも上記一方と他方の被連結物の総肉厚Ｔより長く形成されることで、上記被連結物同士を上記テーパボルト６により連結する際に、他方の被連結物５ａ，５ｂの大径挿通孔８から一方の被連結物４の挿通孔１０を挿通したネジ軸１２にナット１５を螺合した状態では、上記テーパ部１８の縮径側端部が上記他方の被連結物５ａ，５ｂの大径挿通孔８の入口側にあることから、相互の被連結物の挿通孔８，１０同士が径方向にずれていても上記テーパボルト６の軸方向へ螺進する動作で位置合わせが行われる。
【００１８】
本発明の請求項３に記載の建築構造物の連結部材は、上記連結部材は、ネジ軸１２の頭部Ｈ下面に上記他方の被連結物５ａ，５ｂの大径挿通孔８より大径となるフランジ座部２４が形成されるボルト２２であって、上記ネジ軸２８には、最大径が上記大径挿通孔８に挿嵌する大径挿嵌部２５を有し、且つ上記大径挿嵌部１６の一方側に向けて縮径となすテーパ部１８を形成したテーパスリーブ２５が着脱可能に挿嵌されて成り、上記テーパスリーブ２５は、上記大径挿嵌部１６とテーパ部１８を含む全長Ｌ１が上記他方の被連結物５ａ，５ｂの肉厚Ｔ１より短く形成されており、上記テーパスリーブ２５の外径Ｄ乃至全長Ｌ１が、上記他方の被連結物５ａ，５ｂの大径挿通孔８の内径、及びその肉厚Ｔ１以内となる長さに対応した各種寸法のテーパスリーブ２５が作成され、上記他方の被連結物５ａ，５ｂの各種寸法に適合するテーパスリーブ２５を選択的に使用されるようにしたことを特徴とする建築構造物の連結部材である。
上記の建築構造物の連結部材によれば、ネジ軸２８の頭部Ｈ下面に他方の被連結物５ａ，５ｂの大径挿通孔８より大径となるフランジ座部２４が形成されたボルト２２であって、このボルト２２のネジ軸２８に最大径が上記大径挿通孔８に挿嵌する大径挿嵌部１６を有し、且つ上記大径挿嵌部１６の一方側に向けて縮径となすテーパ部１８を形成したテーパスリーブ２５を着脱可能に挿嵌することで、上記他方の被連結物５ａ，５ｂの大径挿通孔８から一方の被連結物４の挿通孔１０に挿通したネジ軸２８にナット１５を螺合し、軸方向へ螺進する上記テーパスリーブ２５のテーパ部１８の作用により被連結物を径方向に相対移動させて上記大径挿通孔８と挿通孔１０の位置合わせが行われる。また、テーパスリーブ２５が大径挿嵌部８とテーパ部１８を含む全長Ｌ１が上記他方の被連結物５ａ，５ｂの肉厚Ｔ１より短く形成されて、上記テーパスリーブ２５の外径Ｄ乃至全長Ｌ１が、上記他方の被連結物５ａ，５ｂの大径挿通孔８の内径、およびその肉厚以内となる長さＬ１に対応した各種寸法のテーパスリーブが作成されることで、他方の被連結物５ａ，５ｂの各種寸法に適合したテーパスリーブ２５が選択的に使用される。
【００１９】
本発明の請求項４に記載の建築構造物の連結方法は、被連結物同士を対応する連結孔に連結部材を挿通させて連結する建築構造物の連結方法に於いて、上記連結部材はテーパボルト６であって、上記被連結物の一方４には上記テーパボルト６のネジ軸１２が挿嵌可能な内径の挿通孔１０が形成されると共に、上記被連結物の他方５ａ，５ｂには上記テーパボルト６のネジ軸１２より大径の挿通孔８が形成され、上記テーパボルト６は、上記他方の被連結物５ａ，５ｂの大径挿通孔８より更に大径となるフランジ座部１４がネジ頭部Ｈ下面に形成されると共に、上記ネジ軸１２には、その先端に螺子が螺設されて上記ネジ頭部Ｈ側には最大径が上記大径挿通孔８に挿嵌する大径挿嵌部１６を有し、且つ上記大径挿嵌部１６には上記ネジ軸１２側に向けて縮径となすテーパ部１８が形成され、上記フランジ座部１４から大径挿嵌部１６とテーパ部１８の総軸長さＬ１が上記他方の被連結物５ａ，５ｂの肉厚Ｔ１より短く形成されて成り、上記テーパボルト６により上記被連結物同士を連結するに際し、上記他方の被連結物５ａ，５ｂの大径挿通孔８から一方の被連結物４の挿通孔１０に上記ネジ軸１２を挿通して該ネジ軸１２にナット１５を螺合し、軸方向へ螺進する上記テーパ部１８の作用により上記他方の被連結物５ａ，５ｂの大径挿通孔８、または一方の被連結物４の挿通孔１０を基準として何れかの被連結物を径方向に相対移動させて上記大径挿通孔８と挿通孔１０の位置合わせするようにしたことを特徴とする建築構造物の連結方法である。
【発明の効果】
【００２０】
本発明は以下の効果を奏する。
【００２１】
請求項１に記載の発明によれば、テーパボルトにより被連結物同士を連結する際に、他方の被連結物の大径挿通孔から一方の被連結物の挿通孔に挿通したネジ軸にナットを螺合し、軸方向へ螺進するテーパ部の作用により他方の被連結物の大径挿通孔または一方の被連結物の挿通孔を基準として何れかの被連結物を径方向に相対移動することで、被連結物の挿通孔同士が多少ずれていても、容易に位置合わせができると共に上記被連結物同士を確実に連結結合することができる。
【００２２】
請求項２に記載の発明によれば、テーパ部の縮径側端部から先端までのネジ軸の長さが、少なくとも一方と他方の被連結物の総肉厚より長く形成されることで、相互の被連結物間に径方向のずれ量が生じた場合でも、テーパボルトの軸方向へ螺進する動作で容易に位置合わせを行うことができる。
【００２３】
請求項３に記載の発明によれば、軸方向へ螺進するテーパスリーブのテーパ部の作用により被連結物を径方向に相対移動させることで、上記大径挿通孔と挿通孔の位置合わせが容易にできるだけでなく、テーパスリーブの外径乃至全長が他方の被連結物の大径挿通孔の内径、およびその肉厚以内となる長さに対応した各種寸法のテーパスリーブを作成することで、他方の被連結物の各種寸法に適合したテーパスリーブを選択的に使用できるので、広範囲での使用態様が可能となる。
【００２４】
請求項４に記載の発明によれば、軸方向へ螺進するテーパ部の作用により他方の被連結物の大径挿通孔、または一方の被連結物の挿通孔を基準として何れかの被連結物を径方向に相対移動することで、被連結物の挿通孔同士が多少ずれていても、容易に位置合わせができると共に上記被連結物同士を確実に連結結合することができる。
【発明を実施するための最良の形態】
【００２５】
本発明の実施例を以下に説明する。
【実施例】
【００２６】
図１〜図３には、本発明の実施例が示されている。図１は本発明に係る連結部材を使用して建築構造物の被連結物同士を連結する状態を示す建築構造物の部分斜視図、図２は本発明に係る連結部材を使用して建築構造物の被連結物同士を連結した状態を示す断面図、図３（ａ）は連結部材により被連結物同士を連結する状態を示す説明図、（ｂ）は連結部材により被連結物同士を連結した状態を示す説明図である。
【００２７】
図１において、１は建築構造物であって、この建築構造物１は、円筒状の鋼管で構成された間柱２に他方の被連結物となる鋼鈑で構成された継手板５ａ，５ｂを介して一方の被連結物となる角筒状の梁４が後述する本発明に係る連結部材６（テーパボルト）により連結結合されるようになっている。
【００２８】
詳しくは、間柱２の上部側面には一対の継手板５ａ，５ｂが梁４の横幅に対応する間隔で溶接接合されており、これら継手板５ａ，５ｂには、それぞれテーパボルト６の後述する大径挿嵌部１６が挿嵌する大径挿通孔８が３個づつ縦列に穿設され、上記間柱２に連結される梁４の端部側には上記大径挿通孔８に対応する位置にネジ軸１２が挿通する挿通孔１０が穿設されている。
【００２９】
図２に示すように、両継手板５ａ，５ｂに上記梁４が連結結合された状態では、テーパボルト６の上記ネジ軸１２が梁４の内側に予め溶接接合されたナット１５に螺挿され、ネジ頭部Ｈ下面に上記大径挿通孔８より大径に形成されたフランジ座部１４により上記継手板５ａ，５ｂの外側面が押圧されている。
【００３０】
上記テーパボルト６は、図２、図３に示すようにネジ頭部Ｈ下面のフランジ座部１４は、上記他方の被連結物となる両継手板５ａ，５ｂの大径挿通孔８より更に大径に形成され、上記フランジ座部１４の下面側には、上記大径挿通孔８に挿嵌する所定長さの大径挿嵌部１６と、該大径挿嵌部１６から上記ネジ軸１２側に向けて縮径となすテーパ部１８が形成されている。
【００３１】
また、上記テーパボルト６は、図３（ａ）に示すようにフランジ座部１４から上記大径挿嵌部１６とテーパ部１８の総軸長さＬ１が上記継手板５ａの肉厚Ｔ１より短く形成されており、且つ上記テーパ部１８の縮径側端部から先端までのネジ軸１２の長さＬ２が、上記継手板５ａの肉厚Ｔ１と上記梁４の肉厚Ｔ２ないし上記継手板５ａと梁４の間隙Ｇの総和より長く形成され、上記ネジ軸１２の先端が先細となるテーパ状の面取り部２０が形成されている。
【００３２】
次に、建築構造物の上記連結部材（テーパボルト６）を使用した連結方法に付き図１〜図３を参照して説明する。
【００３３】
上記テーパボルト６を使用して上記被連結物同士、すなわち両継手板５ａ，５ｂと梁４を連結するに際し、上記一方の継手板５ａの大径挿通孔８から上記梁４片側の挿通孔１０にネジ軸１２を挿通して該ネジ軸１２を上記梁４の裏面に溶接接合したナット１５に螺合する。
【００３４】
この状態では、継手板５ａの大径挿通孔８に対し梁４の挿通孔１０が例えば下方にずれた位置にあり、上記テーパボルト６のテーパ部１８は、縮径部が大径挿通孔８の開口部の下端縁に当接した状態となっている。
【００３５】
そこで、上記テーパボルト６を上記梁４の挿通孔１０に向けて軸方向へ螺進することで、上記テーパ部１８が大径挿通孔８の開口部周縁に案内されて上記大径挿通孔８の内部に進入しつつ上記テーパ部１８の作用で上記梁４が上昇移動し、上記大径挿嵌部１６が大径挿通孔８に挿嵌された状態では上記大径挿通孔８に対し挿通孔１０が位置合わせでき、上記継手板５ａと梁４を確実に連結結合することができる。
【００３６】
上記の建築構造物の連結方法によれば、両継手板５ａ，５ｂの大径挿通孔８から上記梁４の挿通孔１０にテーパボルト６のネジ軸１２を挿通してナット１５に螺挿することで、軸方向へ螺進するテーパ部１８の作用により、上記大径挿通孔８または上記梁４片側の挿通孔１０を基準として何れか（実施例では梁４）を径方向（実施例では上方）に相対移動することで、上記大径挿通孔８と挿通孔１０同士の位置が多少ずれていても、容易に位置合わせができると共に上記両継手板５ａ，５ｂと梁４を確実に連結結合することができる。
【００３７】
また、テーパボルト６のフランジ座部１４から大径挿嵌部１６とテーパ部１８の総軸長さＬ１が、上記両継手板５ａ，５ｂの肉厚Ｔ１より短く形成されているので、テーパボルト６の締結時にテーパ部１８の縮径側端部が上記梁４の接合面に当接することがなく両継手板５ａ，５ｂと梁４を確実に連結固定することができる。
【００３８】
さらに、テーパ部１８の縮径側端部から先端までのネジ軸１２の長さＬ２が、上記両継手板５ａ，５ｂの肉厚Ｔ１と上記梁４の肉厚Ｔ２ないし上記継手板５ａと梁４の間隙Ｇの総和より長く形成されることで、上記継手板５ａと梁４の間に間隙Ｇが形成されていても大径挿通孔８から上記梁４の挿通孔１０を挿通したネジ軸１２がナット１５に螺合するので、大径挿通孔８とネジ軸１２の直径差の範囲内であれば位置合わせが可能となる。
【００３９】
また、ネジ軸１２の先端に先細となるテーパ状の面取り部２０が形成されているので、上記大径挿通孔８から挿通したネジ軸１２の先端が上記梁４の挿通孔１０を通してナット１５に容易に螺合することができる。
【００４０】
次に、図４を参照して本発明に係る連結部材の変形例に付き説明する。図４は本発明の連結部材の変形例を示し（ａ）は連結部材の分解説明図、（ｂ）は連結部材により被連結物同士を連結する状態を示す説明図、（ｃ）は連結部材により被連結物同士を連結した状態を示す説明図である。尚、前述した構成部材と同一部材には同一符号を付して詳細な説明を省略する。
【００４１】
図４（ａ）〜（ｃ）において、上記連結部材は、ネジ軸２８の頭部Ｈ下面に上記両継手板５ａ，５ｂの大径挿通孔８より大径となるフランジ座部２４が形成された座付きボルト２２であって、上記ネジ軸２８には大径挿嵌部１６の一方側に向けて縮径となすテーパ部１８を形成したテーパスリーブ２５が着脱可能に挿嵌されている。
【００４２】
上記テーパスリーブ２５は、中心軸線方向に上記ネジ軸２８が挿通する挿通孔２６が穿設され、上記大径挿嵌部１６とテーパ部１８を含む全長Ｌ１（図３参照）が上記継手板５ａ，５ｂの肉厚Ｔ１より短く形成されている。そして、上記テーパスリーブ２５の外径Ｄ乃至全長Ｌ１は、上記継手板５ａ，５ｂの大径挿通孔８の内径、および継手板５ａ，５ｂの肉厚Ｔ１以内となる長さにそれぞれ対応した各種寸法で作成されており、上記継手板５ａ，５ｂの大径挿通孔８の内径、および継手板５ａ，５ｂの肉厚Ｔ１の各種寸法に適合させて選択的に使用できるようになっている。
【００４３】
なお、この変形例に係る連結部材２４の連結方法は、前述した連結方法と同一でありその説明を省略する。
【００４４】
この変形例に係る連結部材によれば、軸方向へ螺進するテーパスリーブ２５のテーパ部１８の作用により梁４を継手板５ａ，５ｂに対して径方向に相対移動させることで、上記大径挿通孔８と挿通孔１０の位置合わせが容易にできるだけでなく、テーパスリーブ２５の外径Ｄ乃至全長Ｌ１が、上記継手板５ａ，５ｂの大径挿通孔８の内径、および継手板５ａ，５ｂの肉厚Ｔ１以内となる長さに対応した各種寸法で作成されることで、上記継手板５ａ，５ｂの大径挿通孔８の内径、および継手板５ａ，５ｂの肉厚Ｔ１の各種寸法に適合したテーパスリーブ２５を選択的に使用できるので、広範囲での使用態様が可能となる。
【図面の簡単な説明】
【００４５】
【図１】本発明に係る連結部材を使用して建築構造物の被連結物同士を連結する状態を示す建築構造物の部分斜視図である。
【図２】本発明に係る連結部材を使用して建築構造物の被連結物同士を連結した状態を示す断面図である。
【図３】（ａ）は連結部材により被連結物同士を連結する状態を示す説明図、（ｂ）は連結部材により被連結物同士を連結した状態を示す説明図である。
【図４】本発明の連結部材の変形例を示し（ａ）は連結部材の分解説明図、（ｂ）は連結部材により被連結物同士を連結する状態を示す説明図、（ｃ）は連結部材により被連結物同士を連結した状態を示す説明図である。
【図５】2つの被連結物同士を連結した状態を示す従来の連結部材の断面図である。
【符号の説明】
【００４６】
１                  建築構造物
２                  間柱
４                  梁（一方の被連結物）
５ａ，５ｂ          継手板（他方の被連結物）
６                  テーパボルト（連結部材）
８                  大径挿通孔
１０                挿通孔
１２                ネジ軸
１４                フランジ座部
１５                ナット
１６                大径挿嵌部
１８                テーパ部
２０                面取り部
２２                座付きボルト（連結部材）
２４                フランジ座部
２５                テーパスリーブ
２６                挿通孔
２８                ネジ軸
Ｄ                  外径
Ｇ                  間隙
Ｈ                  ネジ頭部
【図１】
2008127824.tif 000003
【図２】
2008127824.tif 000004
【図３】
2008127824.tif 000005
【図４】
2008127824.tif 000006
【図５】
2008127824.tif 000007